(57)【要約】【課題】戸袋を設けることなく、扉の開口幅を、扉外枠の左右支柱間の間隔に近い幅まで広くすることのできる伸縮扉を提供する。【解決手段】左右支柱３，４と上下枠５，６とからなる扉外枠２の上枠５に、パンタグラフ式の伸縮扉体７を吊り車８を介して吊支する固定ハンガーレール９を設けると共に、固定ハンガーレール９の吊り元側には、伸縮扉体７を収縮させた状態で吊り車８を介して吊支する回転ハンガーレール１０を、吊り元支柱４にヒンジ１１によって回転自在に枢着した吊り元側竪枠１２の上端部に片持ち状に設け、扉閉鎖時は伸張させた伸縮扉体７を固定ハンガーレール９と回転ハンガーレール１０とに亘って吊支させ、扉閉鎖時には伸縮扉体７を収縮させて回転ハンガーレール１０に吊支させた状態で回転ハンガーレール１０を手前側の収納位置へ回転させるようにしている。【選択図】図１
0003153022.tif 000002
【実用新案登録請求の範囲】
【請求項１】
左右支柱と上下枠とからなる扉外枠の上枠に、パンタグラフ式の伸縮扉体を吊り車を介して吊支する固定ハンガーレールを設けると共に、固定ハンガーレールの吊り元側には、伸縮扉体を収縮させた状態で吊り車を介して吊支する回転ハンガーレールを、吊り元支柱にヒンジによって回転自在に枢着した吊り元側竪枠の上端部に片持ち状に設け、扉閉鎖時は伸張させた伸縮扉体を固定ハンガーレールと回転ハンガーレールとに亘って吊支させ、扉開放時には伸縮扉体を収縮させて回転ハンガーレールに吊支させた状態で回転ハンガーレールを手前側の収納位置へ回転させるようにしてなる伸縮扉。
【請求項２】
伸縮扉体は、前記吊り元側竪枠と移動竪枠と両竪枠の間に配置される多数の縦桟とこれら縦桟間に介装されるパンタグラフ機構とからなり、パンタグラフ機構は、多数の斜材と、これらの斜材を互いに回転自在に連結すると共に縦桟に連結する枢支ピンとからなるもので、縦桟の最下端側に連結される枢支ピンは、伸縮扉体の伸縮動作に伴って縦桟内を昇降する昇降ピンとし、各縦桟の下端部内には、下部リンクに垂下連結した縦桟下部ガイド片を扉閉鎖時は自重で縦桟の下端から突出させて、扉外枠の下枠に設けたガイド溝に挿入させるが、扉開放時は伸縮扉体の収縮に伴い前記昇降ピンが下降して上部リンクを押し下げることにより、下部リンクが引き上げられて、縦桟下部ガイド片を下枠のガイド溝から引き上げ、縦桟下端部内に没入させる縦桟下部ガイド片出し入れリンク機構を設けてなる請求項１に記載の伸縮扉。
【請求項３】
吊り元側竪枠と移動竪枠との間に配置される多数の縦桟には縦桟の複数おきに上端部に吊り車を取り付け、他の縦桟の上端部には固定ハンガーレール及び回転ハンガーレールに案内される上部ガイド片を取り付けてなる請求項２に記載の伸縮扉。
【請求項４】
収縮して回転ハンガーレールに吊支された伸縮扉体の上端部を内外両側から挟むように吊り元側竪枠の上端部及び回転ハンガーレールにわたって夫々の内外両面にガイド板を取り付け、外側のガイド板には、バー先端部を扉外枠の上枠側に設けた係止凹部に係脱自在に係止させることによって、回転ハンガーレールを扉外枠の上枠に沿って固定ハンガーレールと面一状に固定するロックバーを取り付けてなる請求項１〜３の何れかに記載の伸縮扉。
【考案の詳細な説明】
【技術分野】
【０００１】
本考案は、物流倉庫、向上、大形店舗、スーパーマーケット等において所定の開口部を開閉するのに使用される吊り下げ式の伸縮扉に関するものである。
【背景技術】
【０００２】
従来の伸縮扉として、特許公報等の公知文献を具体的に挙げることはできないが、従来使用されている吊り下げ式の伸縮扉は、左右支柱と上下枠とによって構成される扉外枠の上枠に、パンタグラフ式の伸縮扉体を吊り車を介して吊支するガイドレールを上枠の下面側全長にわたって取り付けたもので、伸縮扉体の一端部には扉外枠の吊り元支柱に連結される吊り元枠を設け、他端部には、反対側の戸当り支柱に当接される移動枠（戸当り枠）を設け、扉を閉める時は伸縮扉体を伸張させた状態で戸当り枠を扉外枠の戸当り支柱に当接させて適宜施錠し、また扉開放時には戸当り枠を吊り元枠側へ引っ張って伸縮扉体を収縮させている。
【考案の概要】
【考案が解決しようとする課題】
【０００３】
従来の伸縮扉では、扉を開放した時、扉外枠の戸当り支柱と伸縮扉体の移動枠（戸当り枠）との間が開口幅となるから、扉を最大限開放しても、収縮した伸縮扉体の幅相当分だけは扉外枠の左右支柱間の開口幅より狭くなる。また、扉外枠の左右支柱間の開口幅を全面的に開放させるためには、扉外枠の吊り元支柱側に戸袋を設けるようにすればよいが、そうすると、扉外枠の外側に戸袋設置用の余分なスペースが必要となり、また扉外枠の外に戸袋が突出するため外観上の体裁も悪くなる。
【０００４】
本考案は、上記の課題に鑑み、戸袋を設けることなく、扉の開口幅を、扉外枠の左右支柱間の間隔に近い幅まで広くすることのできる伸縮扉を提供することを目的とする。
【課題を解決するための手段】
【０００５】
上記課題を解決するための手段を、後述する実施形態の参照番号を付して説明すると、請求項１に係る考案は、左右支柱３，４と上下枠５，６とからなる扉外枠２の上枠５に、パンタグラフ式の伸縮扉体７を吊り車８を介して吊支する固定ハンガーレール９を設けると共に、固定ハンガーレール９の吊り元側には、伸縮扉体７を収縮させた状態で吊り車８を介して吊支する回転ハンガーレール１０を、吊り元支柱４にヒンジ１１によって回転自在に枢着した吊り元側竪枠１２の上端部に片持ち状に設け、扉閉鎖時は伸張させた伸縮扉体７を固定ハンガーレール９と回転ハンガーレール１０とに亘って吊支させ、扉開放時には伸縮扉体７を収縮させて回転ハンガーレール１０に吊支させた状態で回転ハンガーレール１０を手前側の収納位置へ回転させるようにしてなることを特徴とする。
【０００６】
請求項２は、請求項１に記載の伸縮扉において、伸縮扉体７は、前記吊り元側竪枠１２と移動竪枠１３と両竪枠１２，１３の間に配置される多数の縦桟１４とこれら縦桟１４間に介装されるパンタグラフ機構１５とからなり、パンタグラフ機構１５は、多数の斜材１６と、これらの斜材１６を互いに回転自在に連結すると共に縦桟１４に連結する枢支ピン１７とからなるもので、縦桟１４の最下端側に連結される枢支ピン１７は、伸縮扉体７の伸縮動作に伴って縦桟１４内を昇降する昇降ピン１７ａとし、各縦桟１４の下端部内には、下部リンク２４に垂下連結した縦桟下部ガイド片２５を扉閉鎖時は自重で縦桟１４の下端から突出させて、扉外枠２の下枠６に設けたガイド溝６ａに挿入させるが、扉開放時は伸縮扉体７の収縮に伴い前記昇降ピン１７ａが下降して上部リンク２３を押し下げることにより、下部リンク２４が引き上げられて、縦桟下部ガイド片２５を６枠のガイド溝６ａから引き上げ、縦桟１４下端部内に没入させる縦桟下部ガイド片上げ下げ機構２１を設けてなることを特徴とする。
【０００７】
請求項３は、請求項２に記載の伸縮扉において、吊り元側竪枠１２と移動竪枠１３との間に配置される多数の縦桟１４には縦桟１４の複数おきに上端部に吊り車８を取り付け、他の縦桟１４の上端部には固定ハンガーレール９及び回転ハンガーレール１０に案内される上部ガイド片２０を取り付けてなることを特徴とする。
【０００８】
請求項４は、請求項１〜３の何れかに記載の伸縮扉請求項４において、収縮して回転ハンガーレール１０に吊支された伸縮扉体７の上端部を内外両側から挟むように吊り元側竪枠１２の上端部及び回転ハンガーレール１０にわたって夫々の内外両面にガイド板３３，３４を取り付け、外側のガイド板３４には、バー先端部を扉外枠２の上枠側に設けた係止凹部３７ａに係脱自在に係止させることによって、回転ハンガーレール１０を扉外枠２の上枠５に沿って固定ハンガーレール９と面一状に固定するロックバー３５を取り付けてなることを特徴とする。
【考案の効果】
【０００９】
上記解決手段による考案の効果を、後述する実施形態の参照番号を付して説明すると、請求項１に係る考案の伸縮扉によれば、固定ハンガーレール９の吊り元側に、伸縮扉体７を収縮させた状態で吊り車８を介して吊支する回転ハンガーレール１０を、吊り元支柱４にヒンジ１１によって回転自在に枢着した吊り元側竪枠１２の上端部に片持ち状に設け、扉閉鎖時は伸張させた伸縮扉体７を固定ハンガーレール９と回転ハンガーレール１０とに亘って吊支させ、扉開放時は伸縮扉体７を収縮させて回転ハンガーレール１０に吊支させた状態で回転ハンガーレール１０を手前側の収納位置へ回転させるようにしているから、戸袋を設ける必要がなく、扉開放時の開口幅を、扉外枠２の左右支柱３，４間の間隔にほぼ相当する幅まで広くすることができる。
【００１０】
請求項２に係る考案によれば、伸縮扉体７を構成するパンタグラフ機構１５を利用して、各縦桟１４の下端部内に縦桟下部ガイド片上げ下げ機構２１を設けているから、伸縮扉体７を伸張させて扉を閉鎖する時は、縦桟下部ガイド片２５を各縦桟１４の下端から突出させて、扉外枠２の下枠６に設けたガイド溝６ａに挿入させることにより、各縦桟１４の下端部が縦桟下部ガイド片２５を介して下枠６に支持され、伸張した伸縮扉体７の下端部が安定状態に保持され、また伸縮扉体７を収縮させて扉を開放する時は、各縦桟下部ガイド片２５を下枠６のガイド溝６ａから引き上げて縦桟１４の下端部内に没入させるから、収縮させた伸縮扉体７を回転ハンガーレール１０に吊支して収納位置に回転させる時に、縦桟下部ガイド片２５が障害物とならず、回転ハンガーレール１０をそのまま回転収納位置へスムーズに回転させることができる。
【００１１】
請求項３に係る考案によれば、吊り元側竪枠１２と移動竪枠１３との間に配置される多数の縦桟１４には縦桟１４の複数おきに上端部に吊り車８を取り付け、他の縦桟１４の上端部には固定ハンガーレール９及び回転ハンガーレール１０に案内される上部ガイド片２０を取り付けているから、吊り車８の数を少なくできて、コストの低減及び重量の軽減を図ることができ、また吊り車８を取り付けていない縦桟１４の上端部を上部ガイド片２０を介して固定ハンガーレール９及び回転ハンガーレール１０に支持させることによって、全ての縦桟１４の上端部の揺れやガタつきを防止し、伸縮扉体７の上端部を安定状態に保持することができる。
【００１２】
請求項４に係る考案によれば、収縮させた伸縮扉体７を回転ハンガーレール１０に吊支した状態で回転ハンガーレール１０を回転させる時に、ガイド板３３，３４によって伸縮扉体７の揺れを抑えて、スムーズに回転させることができ、また扉閉鎖時にはロックバー３５によって回転ハンガーレール１０を扉外枠２の上枠５に沿って固定ハンガーレール９と面一状に安定状態に固定させることができる。
【図面の簡単な説明】
【００１３】
【図１】本考案に係る伸縮扉の扉閉鎖時の状態を示す全体正面図である。
【図２】(a) は図１の矢印Ｘ−Ｘ線拡大断面図、(b) は図１の矢印Ｙ−Ｙ線拡大断面図、(c) は図１の矢印Ｚ−Ｚ線拡大断面図である。
【図３】(a) は扉閉鎖時における伸縮扉体の一部拡大正面図、(b) は(a) の左側面図である。
【図４】(a) は扉開放時における伸縮扉体の一部拡大正面図、(b) は(a) の左側面図である。
【図５】伸縮扉の開放時の状態を示す全体正面図である。
【図６】(a) は伸縮扉の開放時の状態を示す平面図、(b) は図５のＶ−Ｖ線断面図、(b) は図５のＷ−Ｗ線断面図、(c) は(b) と同様な断面図で、回転ハンガーレールが収納位置へ回転した状態を示し、(d) はロックバーのロック解除操作を説明する説明図である。
【図７】(a) は図５のＰ−Ｐ線断面図、(b) は図５のＱ−Ｑ線断面図である。
【図８】(a) は伸縮扉を建物躯体のエレベータ出入り口とエレベータ籠の出入り口とに設置した場合の概略正面図、(b) はその平面図である。
【図９】伸縮扉を建物躯体のエレベータ出入り口とエレベータ籠の出入り口とに設置した場合の概略縦断面図である。
【考案を実施するための形態】
【００１４】
以下に本考案の好適な実施形態について図面を参照しながら説明すると、本考案に係る伸縮扉１を扉閉鎖状態示す図１において、２は左右支柱３，４と上下枠５，６とからなる扉外枠で、図中の右側の支柱４が吊り元支柱とされ、左側の支柱３が戸当り支柱とされる。７はパンタグラフ式の伸縮扉体である。
【００１５】
扉外枠２の上枠５にはその下面に沿って、伸縮扉体７を吊り車８を介して吊支する固定ハンガーレール９が取り付けられると共に、固定ハンガーレール９の吊り元側には、伸縮扉体７を収縮させた状態で吊り車８を介して吊支する回転ハンガーレール１０が、吊り元支柱４にヒンジ１１によって回転自在に枢着された吊り元側竪枠１２の上端部に片持ち状に設けられ、しかして扉閉鎖時には伸張させた伸縮扉体７を固定ハンガーレール９と回転ハンガーレール１０とに亘って吊支させ、扉開放時には収縮させた伸縮扉体７を回転ハンガーレール１０に吊支させた状態でこの回転ハンガーレール１０を、ヒンジ１１の周りに手前側の収納位置へほぼ９０°回転させるようになっている。
【００１６】
伸縮扉体７は、図１に示すように、扉外枠２の吊り元側竪枠１２と、移動竪枠（戸当り側竪枠）１３と、両竪枠１２，１３の間に配置される多数の縦桟１４と、これら縦桟１４間に介装されるパンタグラフ機構１５とからなるもので、パンタグラフ機構１５は、この図１から分かるように縦桟１４の上端部側と下端部側と中間部側とに設けられている。
【００１７】
各段のパンタグラフ機構１５は、図１、図２の(c) 、図３及び図４から分かるように、多数の斜材１６と、これら斜材１６を互いに回転自在に連結すると共に斜材１６を斜材１６縦桟１４に連結する枢支ピン１７とからなるもので、枢支ピン１７を縦桟１４に連結することによってパンタグラフ機構１５が縦桟１４に連結される。そして、図２の(c) に示すように、各段のパンタグラフ機構１５において縦桟１４の上段側及び下段側に連結される枢支ピン１７は、伸縮扉体７の伸縮動作に伴って縦桟１４内を昇降する昇降ピン１７ａとされ、これら上段側枢支ピン１７と下段側枢支ピン１７との中間において縦桟１４と連結される枢支ピン１７は、縦桟１４に対し固定状態に（昇降不能に）連結される固定ピン１７ｂとされる。また縦桟１４の外で縦桟１４どうしを連結する枢支ピン１７は、伸縮扉体７の伸縮動作に伴って縦桟１４に対し上下左右に移動する移動ピン１７ｃである。
【００１８】
また図１に示すように、吊り元側竪枠１２と移動竪枠１３との間に配置される多数の縦桟１４には複数本おきに（例えば３本おきに）その縦桟１４の上端部に、固定ハンガーレール９及び回転ハンガーレール１０の夫々のレール部１８，１８に載置される吊り車８がの取付片８ｏ取り付けられ（図２の(a) 参照）、その他の縦桟１４の上端部には固定ハンガーレール９及び回転ハンガーレール１０の夫々のレール部１８，１８間の開口溝１９に案内される上部ガイド片２０が取り付けられている（図２の(b) 参照）。
【００１９】
尚、各縦桟１４は、図３の(c) から分かるように一対の溝形部材１４ａ，１４ａを互いに内向きに配置したものからなり、そして昇降ピン１７ａには溝形部材１４ａに案内されるガイド駒片３２が取り付けられている。
【００２０】
また、各縦桟１４の下端部内には、図３及び図４に示すような縦桟下部ガイド片出し入れリンク機構２１が設けられている。この縦桟下部ガイド片出し入れリンク機構２１は、縦桟１４内に軸支された楕円形の板状梃子２２と、この梃子２２の両端部に夫々の一端部が枢支連結された上下リンク２３，２４とからなるもので、下部リンク２４に垂下連結した縦桟下部ガイド片２５を扉閉鎖時はその自重によって縦桟１４の下端から突出させて、扉外枠２の下枠６に設けたガイド溝６ａに挿入させる（図３の(a) ，(b) 参照）が、扉開放時は伸縮扉体７の収縮に伴い前記昇降ピン１７ａが下降して上部リンク２３を押し下げることにより、下部リンク２４が引き上げられて、縦桟下部ガイド片２５を下枠６のガイド溝６ａから引き上げ、縦桟１４の下端部内に没入させる（図４の(a) ，(b) 参照）ようになっている。尚、縦桟下部ガイド片出し入れリンク機構２１は、移動竪枠１３の下端部内にも設けてあって、この移動竪枠１３の下端から縦桟下部ガイド片２５が出没する。
【００２１】
上記縦桟下部ガイド片出し入れリンク機構２１について更に説明すると、図３及び図４に示すように、楕円形の板状梃子２２は、縦桟１４を形成する両溝形部材１４ａ，１４ａ間に固定された取付基板２６に枢軸２７によって枢着され、この梃子２２の一端部に上部リンク２３の下端部が枢軸２８で枢着され、梃子２２の他端部に下部リンク２４の上端部が枢軸２９により枢着され、上部リンク２３の上端部には当て板３０が直角に固着され、下部リンク２４の下端部は、縦桟下部ガイド片２５の上端部に突設された取付片２５ａに枢軸３１で枢着されている。
【００２２】
そして、楕円形の板状梃子２２は、常時は、図３の(b) に示すような傾斜姿勢に保持され、下部リンク２４に垂下連結した縦桟下部ガイド片２５は、自重で縦桟１４の下端から突出して下枠６のガイド溝６ａに突入し、上部リンク２３上端部の当て板３０は、概ね水平姿勢にあって、図３の(a) に示すように伸縮扉体７が伸張状態の時には縦桟１４内を昇降する下段側昇降ピン１７ａ部分から離間している。
【００２３】
上記のような構成の縦桟下部ガイド片出し入れリンク機構２１では、伸縮扉体７が伸張状態にある時は、図３の(a) ，(b) に示すように下部リンク２４に垂下連結した縦桟下部ガイド片２５を縦桟１４の下端から突出させて下枠６のガイド溝６ａに突入しているが、扉開放時に伸縮扉体７を図３の(a) ，(b) に示す伸張状態から伸縮させると、図４の(a) ，(b) に示すように、縦桟１４内を昇降する下段側昇降ピン１７ａの駒片３２が上部リンク２３の当て板３０を押して、楕円形梃子２２を図３の(b) 及び図４の(b) に関し時計回りに約９０度回転させ、それにより下部リンク２４が引き上げられて、縦桟下部ガイド片２５を下枠６のガイド溝６ａから引き上げて、縦桟１４の下端部内に没入させるようになる。
【００２４】
図５〜図７に示すように、窓開放時に収縮して回転ハンガーレール１０に吊支された伸縮扉体７の上端部を内外両側から挟むように吊り元側竪枠１２の上端部及び回転ハンガーレール１０にわたって夫々の内外両面にガイド板３３，３４が取り付けられ、そして外側のガイド板３４には、回転ハンガーレール１０を扉外枠２の上枠５に沿って固定ハンガーレール９と面一状に固定するロックバー３５が取り付けられている。
【００２５】
このロックバー３５は、概ねＺ字状に形成されて、上端所要部が外側のガイド板３４に枢軸３６で枢着され、そうして先端部３５ａを扉外枠２の上枠５の外側面に取り付けられたブラケット３７の係止凹部３７ａに係止させることによって、回転ハンガーレール１０を固定ハンガーレール９と面一状に固定でき、また図６の(d) に示すように下端側のハンドル部３５ｂを図示の反時計回りに回転させることによって、先端部３５ａをブラケット３７の係止凹部３７ａから離脱させ、ロック解除するようになっている。
【００２６】
また、図５及び図６の(b)〜 (d) から分かるように、内外両ガイド板３３，３４のうち外側のガイド板３４の遊端部は、ロックバー３５のロック位置において固定ハンガーレール９の端部に外側から重なるように内側ガイド板３３よりも若干長く形成され、それによって収縮した伸縮扉体７を確実に固定できるようにしている。
【００２７】
次に、以上のように構成される伸縮扉１の作用について説明すると、図１に示すように伸縮扉体７が伸張して扉閉鎖状態の時には、伸縮扉体７は、固定ハンガーレール９と回転ハンガーレール１０との両ハンガーレール９，１０に亘って吊支される。即ち、伸縮扉体７の吊り元部分は回転ハンガーレール１０に吊支され、それ以外は固定ハンガーレール９に吊支される。この時、ロックバー３５をロック状態にして、回転ハンガーレール１０を扉外枠２の上枠５に沿って固定ハンガーレール９と同一直線状に固定しておく。
【００２８】
また図１に示すように伸縮扉１が閉鎖された状態において、各縦桟１４の上端部は吊り車８又は縦桟上部ガイド片２０によって固定ハンガーレール９及び回転ハンガーレール１０で支持され、また各縦桟１４の下端部は縦桟下部ガイド片２５によって扉外枠２の下枠６で支持されているから、縦桟１４の揺れやガタつきが有効に抑えられ、伸張された伸縮扉体７は安定状態に保持される。尚、図示は省略するが、扉全閉時には、移動竪枠１３は、扉外枠２の戸当り支柱３に対し施錠するようになっている。また、この移動竪枠１３の上端部にも吊り車８が取り付けてある。
【００２９】
伸縮扉１を全面開放する時は、伸縮扉１の移動竪枠１３を吊り元側竪枠１２の方へ移動させて伸縮扉体７を収縮させ、伸縮扉体７の吊り車８及び上部ガイド片２０を全て固定ハンガーレール９から回転ハンガーレール１０に移行させて、図５に示すような状態とし、そうしてロックバー３５を図６の(d) に示すようにロック解除し、この状態で例えばロックバー３５を掴んで伸縮扉体７を、ヒンジ１１を中心に図６の(c) に示すような収納位置へと概ね９０度回転させて収納する。これによって、扉外枠２の左右支柱３，４間の開口幅がほとんど全面的に開放されることになる。
【００３０】
このように伸縮扉１の開放に際して伸縮扉体７が収縮する時は、各縦桟１４内に設けられた縦桟下部ガイド片上げ下げ機構２１の作用によって、各縦桟下部ガイド片２５が下枠６のガイド溝６ａから引き上げられ、縦桟１４の下端部内に没入する。即ち、伸縮扉体７を図３の(a) ，(b) に示す伸張状態から伸縮させると、図４の(a) ，(b) に示すように、縦桟１４内を昇降する下段側昇降ピン１７ａの駒片３２が上部リンク２３の当て板３０を押して、楕円形梃子２２を図４の(b) に示すように回転させ、それにより下部リンク２４が引き上げられて、縦桟下部ガイド片２５を下枠６のガイド溝６ａから引き上げ、縦桟１４の下端部内に没入させることになる。このように扉開放時は、各縦桟下部ガイド片２５を下枠６のガイド溝６ａから引き上げて縦桟１４の下端部内に没入させるから、収縮させた伸縮扉体７を回転ハンガーレール１０に吊支して収納位置に回転させる時に、縦桟下部ガイド片２５が障害物とならず、回転ハンガーレール１０をそのまま回転収納位置へスムーズに回転させることができる。
【００３１】
上記のように回転ハンガーレール１０に吊支させた伸縮扉体７を回転収納位置へ回転させた状態から伸縮扉１を閉じる時は、回転ハンガーレール１０を概ね９０度回転させて、伸縮扉体７を扉外枠２の上枠５に沿って固定ハンガーレール９と直線状になるようにし、その状態でロックバー３５をロック操作すればよい。
【００３２】
図８の(a) は、上述した伸縮扉１を、建物躯体の各階床部のエレベータ出入り口とエレベータ籠の出入り口とに設置した状態を示す概略的に示す正面図、(b) は平面図であり、図９はその縦断面図であって、これらの図において、３８は荷物運搬用エレベータの籠、３８ａはエレベータ籠３８の荷台部、３９はエレベータ籠３８が昇降する昇降路を示し、そして１Ａは建物躯体床部Ｆのエレベータ出入り口に設置した建物側伸縮扉を示し、１Ｂはエレベータ籠３８の出入り口に設置したエレベータ側伸縮扉を示す。これら伸縮扉１Ａ，１Ｂの構造については、寸法的に相違するだけで図１〜図７によって説明した伸縮扉１と同じであるため、主要な部材について伸縮扉１と同じ符号を付して、その説明を省略する。伸縮扉体７は図示を省略している。
【００３３】
上記伸縮扉１Ａ，１Ｂの使用において、エレベータ籠３８の昇降中は、建物側伸縮扉１Ａの伸縮扉体７及びエレベータ側伸縮扉１Ｂの伸縮扉体７も全面閉鎖している。そして、エレベータ籠３８が建物のある階で停止した時、エレベータ側伸縮扉１Ｂの伸縮扉体７を収縮させて回転ハンガーレール１０のみに吊支させた状態にすると共に、建物側伸縮扉１Ａの伸縮扉体７を収縮させて回転ハンガーレール１０のみに吊支させた状態とした後に、図８の(a) の仮想線図示のように、先ず、建物側伸縮扉１Ａの回転ハンガーレール１０を手前側の収納位置まで回転させ、それからレベータ側伸縮扉１Ｂの回転ハンガーレール１０を手前側の収納位置まで回転させることによって、建物側伸縮扉１Ａ及びエレベータ側伸縮扉１Ｂのいずれも、扉外枠２の左右支柱３，４間の開口幅がほとんど全面的に開放させることができる。
【００３４】
従ってまた、建物側伸縮扉１Ａを建物躯体床部Ｆに設置する場合には、扉外枠２の吊り元支柱４側に戸袋を設ける必要がなく、エレベータ側伸縮扉１Ｂについても、エレベータ籠３８内に戸袋を設けることなく、夫々の扉外枠２の左右支柱３，４間の開口幅をほぼ全面的に開放させることができる。
【符号の説明】
【００３５】
１            伸縮扉
２            扉外枠
３            扉外枠の支柱（吊り元支柱）
４            扉外枠の支柱（戸当り支柱）
５            扉外枠の上枠
６            扉外枠の下枠
６ａ          ガイド溝
７            伸縮扉体
８            吊り車
９            固定ハンガーレール
１０          回転ハンガーレール
１１          ヒンジ
１２          吊り元側竪枠
１３          移動竪枠
１４          縦桟
１５          パンタグラフ機構
１６          斜材
１７          枢支ピン
１７ａ        昇降ピン
２０          縦桟上部ガイド片
２１          縦桟下部ガイド片上げ下げ機構
２５          縦桟下部ガイド片
【図１】
0003153022.tif 000003
【図２】
0003153022.tif 000004
【図３】
0003153022.tif 000005
【図４】
0003153022.tif 000006
【図５】
0003153022.tif 000007
【図６】
0003153022.tif 000008
【図７】
0003153022.tif 000009
【図８】
0003153022.tif 000010
【図９】
0003153022.tif 000011